(57)【要約】内部を密封する便器本体と、水洗機能を備えた便器と、便器本体内に位置し汚物を貯溜する受け容器と、一端を便器の排出口に接続し他端を受け容器内に面した排出管と、受け容器の上方側で便器本体の内部又は外部に位置し排出管より汚物を吸収し汚物を受け容器内に流下させると共に気体のみ吸引する吸引機構と、吸引機構と並設する排気口を有し吸引機構の作動時に閉するバイパスは排気管と、常時便器の排出口より外気を吸い便器本体の内部空間から吸引機構又はバイパス排気管を経て外方へ内部気体を放出する排気扇とで構成した。
2004065704.tif 000002
【特許請求の範囲】
【請求項１】
内部を密封する便器本体と、水洗機能を備えた便器と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機構と、常時便器の排出口より外気を吸い便器本体の内部空間から吸引機構を経て外方側へ内部気体を放出する排気扇とで構成したことを特徴とするトイレ。
【請求項２】
内部を密封する便器本体と、水洗機能を備えた便器と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間から吸引機構又はバイパス排気管を経て外方側へ内部気体を放出する排気扇とで構成したことを特徴とするトイレ。
【請求項３】
内部を密封する便器本体と、水洗機能を備えた便器と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機能と、常時便器の排出口より外気を吸い便器本体の内部空間から外方側へ内部気体を放出する排気扇機能とを有する吸引機構とで構成したことを特徴とするトイレ。
【請求項４】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、常時便器の排出口より外気を吸い便器本体の内部空間から吸引機構を経て外方側へ内部気体を放出する排気扇とで構成したことを特徴とするトイレ。
【請求項５】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にて排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間から吸引機構又はバイパス排気管を経て外方側へ内部気体を放出する排気扇とで構成したことを特徴とするトイレ。
【請求項６】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、常時便器の排出口より外気を吸い便器本体の内部空間から外方側へ内部気体を放出する排気扇と、発電機と、一端を便器本体の上方部に他端を発電機のエンジン用エアクリーナーに接続した接続管とで構成し、該発電機を用いて汚物焼却時に発生する水蒸気、ガス等をエンジン内で高温燃焼させ分解消失させたことを特徴とする車両用トイレ。
【請求項７】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、排出管より汚物を吸収し汚物を受け容器内に落下させると共に気体のみ上方に吸引する吸引機能と、常時便器の排出口より外気を吸い便器本体の内部空間から外方側へ内部気体を放出する排気扇機能と、ヒーターと吸引機構との電力源とを有するエンジン発電機と、一端を便器本体の上方部に他端をエンジン発電機のエンジン用エアクリーナーに接続した接続管と、接続管の中途に接続管と連通し弁体で開閉する端部を外方に延設し内部に常時便器の排出口より外気を吸い便器本体の内部空間から吸引機構を経て外方側へ、内部気体を放出する排気扇とを有する排出筒と、同じく接続管の中途に接続管と連通し弁体で開閉する安全弁とで構成し、該エンジン発電機を用いて汚物焼却時に発生する水蒸気、ガス等をエンジン内で高温燃焼させ分解消失させたことを特徴とする車両用トイレ。
【請求項８】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、排出管より汚物を吸収し汚物を受け容器内に流下させると共に気体のみ上方に吸引する吸引機能と、常時便器の排出口より外気を吸い便器本体の内部空間から外方側へ内部気体を放出する排気扇機能と、ヒーターと吸引機構との電力源とを有するエンジン発電機と、一端を便器本体の上方部に他端を発電機のエンジン用エアクリーナーに接続した接続管と、接続管の中途に接続管と連通し弁体で開閉する端部を外方に延設し内部に常時便器の排出口より外気を吸い便器本体の内部空間から吸引機構を経て外方側へ、内部気体を放出する排気扇とを有する排出筒と、同じく接続管の中途に接続管と連通し弁体で開閉する安全弁とで構成し、該エンジン発電機を用いて汚物焼却時に発生する水蒸気、ガス等をエンジン内で高温燃焼させ分解消失させたことを特徴とする車両用トイレ。
【請求項９】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、排出管より汚物を吸収し汚物を受け容器内に流下させると共に気体のみ上方に吸引する吸引機能と、常時便器の排出口より外気を吸い便器本体の内部空間から外方側へ内部気体を放出する排気扇機能と、ヒーターと吸引機構との電力源とを有するエンジン発電機と、一端を便器本体の上方部に他端をエンジン発電機のエンジン用エアクリーナーに接続した接続管と、接続管の中途に接続管と連通し弁体で開閉する端部を外方に延設し内部に常時便器の排出口より外気を吸い便器本体の内部空間から吸引機構又はバイパス排気管を経て外方側へ、内部気体を放出する排気扇とを有する排出筒と、同じく接続管の中途に接続管と連通し弁体で開閉する安全弁とで構成し、該エンジン発電機を用いて汚物焼却時に発生する水蒸気、ガス等をエンジン内で高温燃焼させ分解消失させたことを特徴とする車両用トイレ。
【請求項１０】
内部を密封する便器本体と、水洗機能を備えた便器と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間から吸引機構又はバイパス排気管を経経て外方側へ内部気体を放出する排気扇機能と、ヒーターと吸引機構との電力源とを有するエンジン発電機と、一端を便器本体の上方部に他端を発電機のエンジン用エアクリーナーに接続した接続管と、接続管の中途に接続管と連通し弁体で開閉する端部を外方に延設し内部に常時便器の排出口より外気を吸い便器本体の内部空間から吸引機構又はバイパス排気筒を経て外方側へ、内部気体を放出する排気扇とを有する排出筒と、同じく接続管の中途に接続管と連通し弁体で開閉する安全弁とで構成し、該エンジン発電機を用いて汚物焼却時に発生する水蒸気、ガス等をエンジン内で高温燃焼させたことを特徴とする車両用トイレ。
【請求項１１】
内部を密封する便器本体と、水洗機能を備えた便器と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機能と、常時便器の排出口より外気を吸い便器本体の内部空間から外方側へ内部気体を放出する排気扇機能とを有するエンジン発電機と、一端を便器本体の上方部に他端を発電機のエンジン用エアクリーナーに接続した接続管とで構成したことを特徴とする車両用トイレ。
【請求項１２】
請求項１１において、接続管の中途に、発電機のエンジンが必要とする外気導入口と、外気導入口より一時外気導入を遮断して便器本体の内気導入とを切り換え調整する内外気調整部とを設けたことを特徴とする。
【請求項１３】
請求項１２において、内外気調整部は、外気導入口を調整する蓋部と、蓋部を介して外気導入口を調整する調整部とで形成したことを特徴とする。
【請求項１４】
仮設トイレ室内に設けた、内部を密封する便器本体と、水洗機能を備えた便器と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機構と、常時便器の排出口より外気を吸い便器本体の内部空間から外方側へ内部気体を放出する排気扇とで構成したことを特徴とする仮設用トイレ。
【請求項１５】
仮設トイレ室内に設けた、内部を密封する便器本体と、水洗機能を備えた便器と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間から吸引機構又はバイパス排気管を経て外方側へ内部気体を放出する排気扇とで構成したことを特徴とする仮設用トイレ。
【請求項１６】
仮設トイレ室内に設けた、水洗機能を備えた便器と、トイレ室外に設けた、内部を密封する便器本体と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機構と、常時便器の排出口より外気を吸い便器本体の内部空間から吸引機構を経て外方側へ内部気体を放出する排気扇とで構成したことを特徴とする仮設用トイレ。
【請求項１７】
仮設トイレ室内に設けた、水洗機能を備えた便器と、トイレ室外に設けた、内部を密封する便器本体と、便器本体内に位置し汚物を貯溜する受け容器と、一端を便器の排出口に接続し他端を受け容器内に面するよう配置した排出管と、便器本体の内部空間を負圧にして排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間から吸引機構又はバイパス排気管を経て外方側へ内部気体を放出する排気扇とで構成したことを特徴とする仮設用トイレ。
【請求項１８】
仮設トイレ室内に設けた、水洗機能を備えた便器と、トイレ室外に設けた、内部を密封する便器本体と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、常時便器の排出口より外気を吸い便器本体の内部空間から吸引機構を経て外方側へ内部気体を放出する排気扇とで構成したことを特徴とする仮設用トイレ。
【請求項１９】
仮設トイレ室内に設けた、水洗機能を備えた便器と、トイレ室外に設けた、内部を密封する便器本体と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間から吸引機構又はバイパス排気管を経て外方側へ内部気体を放出する排気扇とで構成したことを特徴とする仮設用トイレ。
【請求項２０】
仮設トイレ室内に設けた、水洗機能を備えた便器と、トイレ室外に設けた、内部を密封する便器本体と、便器本体内に位置し汚物を貯溜する受け容器と、一端を便器の排出口に接続し他端を受け容器内に面するよう配置した排出管と、受け容器を覆う炉体と、少なくとも炉体の底部内面に受け容器を加熱させ受け容器内部の汚物を焼却させるヒーターと、便器本体の内部空間を負圧にして排出管より汚物を吸収し汚物を受け容器内に流下させると共に気体のみ上方に吸引する吸引機能と、常時便器の排出口より外気を吸い便器本体の内部空間から吸引機構を経て外方側へ内部気体を放出する排気扇機能とを有するエンジン発電機とで構成し、該エンジン発電機を用いて汚物焼却時に発生する水蒸気、ガス等をエンジン内で高温燃焼させ分解消失させたことを特徴とする仮設用トイレ。
【請求項２１】
仮設トイレ室内に設けた、水洗機能を備えた便器と、トイレ室外に設けた、内部を密封する便器本体と、便器本体下方に配置し便器本体と連通した汚物タンクと、一端を便器の排出口に接続し他端を汚物タンク内に面するように配置した排出管と、汚物タンク上方側で便器本体の内部空間及び汚物タンクの内部空間を負圧にして排出管より汚物を汚物タンク内に流下させると共に気体のみ上方に吸引する吸引機構と、常時便器の排出口より外気を吸い便器本体の内部空間及び汚物タンクの内部空間から吸引機構を経て外方側へ内部気体を放出する排気扇とで構成したことを特徴とする仮設用トイレ。
【請求項２２】
仮設トイレ室内に設けた、水洗機能を備えた便器と、トイレ室外に設けた、内部を密封する便器本体と、便器本体下方に配置し便器本体と連通した汚物タンクと、一端を便器の排出口に接続し他端を汚物タンク内に面するように配置した排出管と、汚物タンク上方側で便器本体の内部空間及び汚物タンクの内部空間を負圧にして排出管より汚物を汚物タンク内に流下させると共に気体のみ上方に吸引する吸引機構と、吸引機構に並設し排気口を有し吸引機構の非作動時に開し、吸引機構の作動時に閉するバイパス排気管と、常時便器の排出口より外気を吸い便器本体の内部空間及び汚物タンクの内部空間から吸引機構又はバイパス排気管を経て外方側へ内部気体を放出する排気扇とで構成したことを特徴とする仮設用トイレ。
【請求項２３】
仮設トイレ室内に設けた、水洗機能を備えた便器と、トイレ室外に設けた、内部を密封する便器本体と、便器本体下方に配置し便器本体と連通した汚物タンクと、一端を便器の排出口に接続し他端を汚物タンク内に面するよう配置した排出管と、汚物タンク上方側で便器本体の内部空間及び汚物タンクの内部空間を負圧にして排出管より汚物を汚物タンク内に流下させると共に気体のみ上方に吸引する吸引機能と、常時便器の排出口より外気を吸い便器本体の内部空間及び汚物タンクの内部空間から吸引機構を経て外方側へ内部気体を放出する排気扇機能とを有するエンジン用発電機とで構成したことを特徴とする仮設用トイレ。
【請求項２４】
請求項２１乃至請求項２３のいずれか記載のトイレにおいて、汚物タンク内に汚物処理槽を設け、槽内にチップを入れ汚物をバイオにて分解消滅処理したことを特徴とするトイレ。
【請求項２５】
請求項３記載のトイレにおいて、吸引機構の駆動モーターの回転数を切換え、吸引機能は最大回転に、排気扇機能のときは低回転にしたことを特徴とする。
【請求項２６】
請求項１乃至請求項１０、請求項１４乃至請求項２４のいずれか記載のトイレにおいて、吸引機構はバキュームファンであることを特徴とする。
【請求項２７】
請求項１乃至請求項１０、請求項１４乃至請求項２４のいずれか記載のトイレにおいて、吸引機構は真空ポンプであることを特徴とする。
【請求項２８】
請求項２において、吸引機構はコンプレッサーの圧縮空気を使用したことを特徴とする。
【請求項２９】
請求項１乃至請求項１０、請求項１４乃至請求項２４のいずれか記載のトイレにおいて、吸引機構を１つの受け容器に対し複数個設けたことを特徴とする。
【請求項３０】
請求項１乃至請求項１０、請求項１４乃至請求項２４のいずれか記載のトイレにおいて、受け容器を１つの吸引機構に対し複数個設け、便器からの１つの排出管を延長して端部を各受け容器上に導き、各受け容器の上方に設けた各吸引口より共通の吸引ダクトを介して吸引機構に導いたことを特徴とする。
【請求項３１】
請求項１乃至請求項２４において、便器を１つの受け容器に対し複数設け、排出管の便器側端部を各便器の排出口に接続し、受け容器側端部を受け容器内に配設し、排出管内に切り換えの弁を設けたことを特徴とする。
【請求項３２】
請求項３１のトイレにおいて、排出管は、一端を便器の各排出口に接続し、分岐部を経て共通管を形成し、共通管の端部を受け容器受け容器内に面するように配設し、分岐部内に切り換えの弁を設けたことを特徴とする。
【請求項３３】
請求項３１、請求項３２のトイレにおいて、複数の便器は、大小便兼用と男性用小便との組み合わせであることを特徴とする。
【請求項３４】
請求項４乃至請求項１０、請求項１８乃至請求項２０のいずれか記載のトイレにおいて、受け容器の下面部に所定重量でオンするセンサーを配設し、センサーがオンのとき制御装置の指令で受け容器を加熱させたことを特徴とする。
【請求項３５】
請求項１３に記載のトイレにおいて、調整部は、蓋部をスライドさせ外気導入口を開成する弾性部材と、弾性部材の付勢力に抗して蓋部を閉成するプランジャーとで構成したことを特徴とする。
【請求項３６】
請求項６乃至請求項１１、請求項１４乃至請求項２３のいずれか記載のトイレにおいて、ルーフ面にソーラーセルを配置し、吸引機構、排気扇、場合によっては電熱ヒーターの電力源としたことを特徴とする。
【請求項３７】
請求項１乃至請求項２４のいずれか記載のトイレにおいて、便器に備えた水洗機能は、待機状態のときトイレ使用者が便器に接近したことをセンサー等が感知すると、自動的に適量の水洗水を流し便器表面を濡らしたことを特徴とする。
【請求項３８】
請求項６乃至請求項１１において、便器と便器本体との間に壁面を設けたことを特徴とする。
【発明の詳細な説明】
【技術分野】  この発明は、便室の臭いを無くすトイレに関するものである。
【背景技術】  従来の仮設トイレは、一般に、トイレ室内便器と汚物タンクと洗浄水とを備え、便器で排泄された汚物をタンクで溜めておき、満杯になると、タンク内の汚物をバキュームカーにて汲み取るか又はタンク毎交換する方法をとっている。（例実開平７−２０９８８）
一方、工事現場用の車両用トイレとしては、電気焼却式トイレが多く、一般的な焼却式トイレとしては、特表平２−５００８２０号がある。便器の下に、汚物を一旦収容するボウル部と、ボウル部の開閉後汚物をを貯溜する受け皿と、受け皿を密閉にし焼却する焼却炉とからなり、焼却炉内に設けた電熱ヒーターにて、受け皿内の汚物を焼却させるものである。
前述のトイレは、いずれも、汚物の処理が中心であり臭い対策が十分でない。
便器内の臭い対策としては、最近、特に真空式トイレにて顕著である。真空トイレは、一瞬にして便器内に溜まった汚物とその便器内の臭いを便槽内に移動させるものである。
（特開平５−２７０４０４、特開平５−１４８８８３、特開平５−２４６２８６、特開平７−１９６０４０、特開昭５６−１６０２１等）
しかし、この真空トイレは、便器と汚物タンクの他に真空にする吸引装置又は負圧の蓄圧タンク、更にダクト内に差圧用の弁、バルブ等の複雑な構造を必要とする。そのため、航空機、船舶、新幹線の車両等の大型のものに採用されているにすぎない。一般的トイレには普及の兆しもなく、特に、工事現場用の車両や、簡易トイレでは皆無に等しい。
仮設タンク式トイレや車両に設置するトイレは、便器の排出口から内部の汚物が臭わないように、便器の臭気対策として便器の排出口に水張りをし、内部を密閉にする封水方式が多く採用されている。  又、各トイレ室内の上方には、トイレ室内の臭気を外方へ出すように換気扇が取り付けられている。
しかし、汚物の臭気予防として、便器の排出口に水張りをしたり換気扇の設置でも、依然トイレ室の汚物の臭いはなくならないのが現状である。これは、トイレ室内の上部の換気扇が、十分臭気を外方に放出する機能を果たさず、寧ろ、便器内の汚物の臭いを、室内に拡散させるためである。
一方、汚物と汚物から発生し便器内に籠もるガスとを一緒にしてバキュームにて吸い取る航空機や新幹線などには真空トイレが設置されているが、汚物を吸収する真空タンク等が大掛かりな設備が要求され、汎用性の仮設トイレや作業用車両のトイレにはなかなか採用されないのが現状である。
本発明は、このような従来の便室の欠点を改善したトイレを提供することを目的としている。
【発明の開示】
本発明の基本的なトイレの１は、新鮮な室外空気を取り入れる開口部を有するトイレ室に、便器と、トイレ室内又はトイレ室外に内部を密閉した便器本体と、便器本体内に位置し汚物を貯溜する受け容器と、一端を便器の排出口に接続し他端を受け容器内に面するよう配置した排出管と、受け容器の上方側で便器本体の内部又は外部に位置し便器本体の内部空間を負圧にして排出管より汚物を吸収し汚物を受け容器内に流下させると共に気体のみ上方に吸引する吸引機構と、常時便器の排出口より外気を吸い便器本体の内部空間から吸引機構を経て外方側へ内部気体を放出する排気扇とで構成した。
基本的なトイレの１に、更に、バイパス排気管を加えた基本的なトイレの２は、新鮮な室外空気を取り入れる開口部を有するトイレ室に、便器と、トイレ室内又はトイレ室外に内部を密閉した便器本体と、便器本体内に位置し汚物を貯溜する受け容器と、一端を便器の排出口に接続し他端を受け容器内に面するように配置した排出管と、受け容器の上方側で便器本体の内部又は外部に位置し便器本体の内部空間を負圧にして排出管より汚物を受け容器内に流下させると共に気体のみ上方に吸引する吸引口を備えた吸引機構と、吸引機構と並設し排気口を有し吸引機構の非作動時に開し、吸引機構の作動時に閉するバイパス排気管と、常時便器の排出口より外気を吸い便器本体の内部空間から吸引機構又はバイパス排気管を経て外方側へ内部気体を放出する排気扇とで構成した。
この基本的なトイレ１、２の構造は、便器の排出口と吸引機構の間、便器の排出口と便器本体の間、便器本体と吸引機構の間には流体を遮断する弁がない。又、負圧の蓄圧タンクもない。
このトイレは、便器の使用、不使用に係わらず、常時、排気扇を作動させ、絶えずトイレ室外の新鮮な空気を吸引するよう便器内の排出口から積極的に吸気し排出管を通り便器本体に入り、吸引機構内の隙間又はバイパス排気管より排気扇にてトイレ室外へ排出させトイレ室を無臭化する。
用便中も絶えず臭気を排気しているので、トイレ室内の臭いは全く拡散しない。
用便中の汚物により排出口を塞がれたときは、排気機能は失われるが、この状態は短時間であるのと、用便終了後の強力な吸引により便器内の汚物と臭気は完全になくなる。
吸引機構を作動させ密閉した便器本体内を負圧にして、便器内の汚物を瞬時に吸い取り排出口より排出管を通り受け容器に貯溜させる。
汚物は、断面積が小径の排出管から、便器本体の断面積が大径の内部空間内で、汚物は重量で受け容器内に流下し、臭気ガス、水蒸気等の気体は、便器本体の吸引口より吸い取られる。
バイパス排気管がある場合は、便器本体の内部空間が負圧になったときバイパス排気管を閉鎖する。
吸引機構としては、バキュームファン、真空ポンプ、コンプレッサー、ブロアポンプ、発電機のエンジン等がある。
吸引機構は、機構内に隙間があり吸引口から吐出口とが連通した開放型と、機構内に隙間がなく吸引口から吐出口とが連通しない遮断した密閉型とがあり、開放型としてバキュームファンがある。
密閉型としては、真空ポンプ、コンプレッサー、ブロアポンプ、発電機のエンジン等がある。
従って、吸引機構が連通しない密閉型を採用する場合は、吸引機構を作動せず便器本体の内部空間から気体を排気扇にて大気に放出させる場合は、バイパス排気管が必須要件となる。
なお、開放型のバキュームファンを採用しバイパス排気筒を並設した場合はバキュームファンが停止状態でも機構内の隙間を通るルートと、バイパス排気筒を通るルートを並列して排気される。
受け容器内に貯留した汚物は、汚物を受け容器ごと引き出し又は受け容器内に吸取りノズルを挿し込み汚物をバキュームカーで吸い取る。又は焼却する。又はバイオで分解消滅処理する。
汚物を焼却させる基本的なトイレの３の構造は、トイレ１、２に、便器本体内に受け容器を収容する炉体と、炉体の少なくとも底部内面に受け容器を加熱させ受け容器内部の汚物を焼却させるヒーターと、場合によって炉蓋と、各部位に設けた断熱材張りとで構成される。
汚物を焼却させるヒーターは、電熱ヒーターの他、設置の規制が無い場合はガスバーナー等の火炎方式でも良い。
焼却時に発生するガス、水蒸気は、排気扇にて吸い取り室外又は車外に放出する。
発電機は、ヒーター、吸引機構、排気扇の電力源の他に、汚物焼却時に発生した臭気ガスを高温燃焼し分解消失させる。
発電機は、汚物焼却時に発生した臭気ガスの消失させるのに利用する。
エンジン発電機は、排気扇機能のみ又は吸引機能と排気扇機能とを有する。
エンジン発電機は、ヒーター、吸引機構、排気扇の電力源の他、吸引機能、排気扇機能を有し、更に汚物焼却時に発生した臭気ガスを高温燃焼し分解消失させる。
エンジン発電機の吸引機能と排気扇機能は、接続管等に設けた開閉弁等の開閉量で調整する。調整は制御装置にて設定制御する。
又、吸引機構に吸引機能と排気扇機能とを備えることも可能である。
吸引機構のモーター回転数をコイル巻き線のタップ切換え又はインバーター技術により、吸引機能の場合は高速回転で回し、排気扇機能の場合は低速回転で回すよう制御装置にて設定制御する。
吸引機構１台で両機能を持たせるので、トイレの小型化が可能となり、製品の大幅なコストダウンとなる。
複数の吸引機構の配列は、受け容器に対し縦型、横型、又上下型いずれでも良い。
又、受け容器を、１つの吸引機構に対し、複数個設け、汚物収納力の増大を図ることもできる。
トイレの構成である吸引機構、排気扇、炉体に設けた電熱ヒーター等の電力源は、車両トイレ用、仮設トイレ用共に発電機、商用電源、設置したバッテリー、インバーター、太陽電池から得る。
発電機又はバッテリーと商用電源との切り換えが可能である。
発電機、エンジン発電機、更に商用電源に換え、太陽電池、インバーター、バッテリー、チャージコントローラーとからなる電源供給装置を設けることが出来る。
この電源供給装置は、電力源の補助以外に、独立してトイレの電力源として使用でき、他から電源が得られない場所や災害地での電力源として有効である。
更に、基本的なトイレを仮設トイレに設けた構造では、トイレ室内のトイレ設置の床下に負圧に耐える汚物タンクを配し、タンクの一部に汲み取り口を設け、汚物タンク自体を受け容器とする。
仮設トイレで汚物タンクを受け容器とした構造では、便器の排出管と汚物タンクの間、又汚物タンクと吸引機構の間に、遮断するバルブ等がない。
汚物タンク内にバイオを入れ、バイオで汚物を分解消滅させることが出来る。
トイレの便器を１つの受け容器に対し複数設けることができる。
複数の便器は、大小便兼用の便器だけ、又は大小便兼用便器と男性用小便器との組み合わせでもよい。
各便器と共通の受け容器へ接続する排出管は、各便器の排出口に接続し分岐部で一個所に集められ共通管の端部を受け容器に面させる。
分岐部内に調整する弁を設ける。調整は制御装置にて行ってもよい。
又は、各便器と受け容器への接続を個々に排出管で接続させてもよい。同様に管内に弁を設け、調整する。
トイレの便器は、水洗可能の便器であるが、便器を濡らす程度の水洗水である。従来の水洗水のように排出口を閉塞するような量ではない。濡らすことで便器に汚物が付着するのを防止する。
用便前に便器を濡らすのは、長時間、便器を使用しないと便器内面は乾燥して汚物が付き易くなるからである。
便器を濡らす方法は、用便前に便器使用者が便座に近づくと赤外線等のセンサーで検知して水洗水を流し便器を濡らす。
又、ドア、ステップ等にセンサーを設け、便器使用者がトイレ室に入るとセンサーが検知して自動的に便器を濡らすようにしてもよい。
手洗水を設けるが、手洗水は貯水し再使用して水洗水に利用することもできる。
このトイレの各構成部品の便器、受け容器、吸引機構、電熱ヒーターは市販の部品を利用することかできる。
【図面の簡単な説明】  第１図は、本発明のトイレの基本構造を示す第１実施例の断面図である。第２図は、第１図のＩ−Ｉ断面である。第３図は第２実施例の概略断面図である。第４図は第３実施例の概略断面図である。第５図は第４実施例の概略断面図である。第６図は第５図のＩＩ−ＩＩ断面図である。第７図は第５実施例の便器本体の概略説明用断面図である。第８図は第６実施例の便器本体の概略説明用断面図である。第９図は第７実施例の概略断面図である。第１０図は第８実施例の概略断面図である。第１１図は第１０図のＩＩＩ−ＩＩＩ断面図である。第１２図は第９実施例の概略断面図である。第１３図は第１０実施例の受け容器の配置図である。第１４図は第１１実施例の受け容器の配置図である。第１５図は第１２実施例の概略断面図である。第１６図は第１３実施例の概略断面図である。第１７図は第１４実施例の概略断面図である。第１８図は第１４実施例の他の吸引機構を示す部分断面図である。第１９図は第１５実施例の概略断面図である、第２０図は第１６実施例の概略断面図である。第２１図は第１７実施例の概略断面図である。第２２図は第２１図の汚物タンクの分解斜視図である。第２３図は第１８実施例の概略断面図である。第２４図は第１９実施例の概略断面図である。第２５図は第２０実施例の概略斜視図である。
【発明を実施するための最良の形態】  本発明をより詳細に説述するために、添付の図面に従ってこれを説明する。
まず、はじめに、本発明の基本的構造を示す第１実施例のトイレＡを第１図、第２図を用いて説明する。
この例の吸引機構は強力な開放型のバキュームファンにて説明する。
又、以下の各実施例の吸引機構は強力型を用いて説明する。
トイレ室Ｙに設置するトイレＡは、便器１と便器本体１０を分離し、便器１と便器本体１０とを排出管３を介して接続させ、使用する便器１内の汚物を吸引機構１２にて吸引し、汚物や臭いを便器本体１０内で処理し、又、常に排気扇１３にて便器１側の臭気を吸引し清潔なトイレ室空間とした。
具体的には、便部１ａの内面は、汚物が流れ易い断面曲面でテフロン等の付着防止剤にてコーテング加工が施されている。
便器１の上面開口部１ｃ周囲には、フランジ部１ｄを形成し、フランジ部１ｄ内部に水リング２ａが設けられ水リング２ａの適宜位置に射水孔２ｂが形成されている。水洗水は便器本体１０内部又は上部に小型の水タンク２ｃ内に貯水され水洗機能を有する。
水タンク２ｃはどこの位置でもよい。１回の水タンク２ｃからの水洗水は、従来のように汚物を押し流す大量な水量ではなく、用便前の汚物が便器内に付着しない便器を濡らす程度の量、又用便後の使用したトイレットペーパーを濡らす程度の量である。
用便前に便器を濡らすのは、長時間便器を使用しないと、便器内面は乾燥して汚物が付き易くなるので、用便をする前に少量の水を流し便器内面を濡らしておく。又、用便後、トイレットペーパーを濡らすのは、汚物表面にペーパーが付着し、汚物とペーパーとを同時に便器から移動させるためである。
用便前に便器を濡らすために、便器使用者が用便のため便器に近づくと、使用者を感知して水洗水を出すセンサー（図示せず）を便器又は便座等に設ける。
便器の上面開口部１ｃ上には、便座１９と便蓋９がヒンジ３８を介て開閉可能に設けられている。
便器１の排出口１ｂからは排出管３が便器本体１０側に延びている。
便器本体１０は、略方形箱に形成され、内部の臭気が漏れないように内部は密封されている。
便器本体１０内には、底部に受け皿４が、受け皿４上に汚物を貯溜する受け容器５が載置されている。
尚、受け皿４は、汚物が受け容器５から食み出して零れることのないように設けるもので、汚物の零れる虞がなければ設けなくてもよい。
受け容器５の開口した上面に排出管３の端部３ｂが面している。
便器本体１０の上部には大径の流体抵抗の小さいフィルター１４が設けられている。
フイルター１４上の棚板１０ａには、吸引口１２ａと、開口部５１とが設けられ、吸引口１２ａの上には、便器本体１０内部空間Ｓの空気を吸引し負圧にする吸引機構１２が、又、開口部５１の上には吸引機構１２と並列に配置し吸引機構１２が不作動時に内部空間Ｓを経て流れた空気の気体を通し、吸引機構１２の作動で内部空間Ｓが負圧になると遮断する構造のバイパス排気管５０が、更に、吸引口１３ａを介して排気扇１３が設けられている。
バイパス排気管５０は、上部広開口の筒状を有する外筒５９と、外筒５９に内設するスプリング５２と、外筒５９の上部広開口内で上下動しスプリング５２力で持ち上げられ広開口を開閉する弁体５８とで構成される。
通常は弁体５８をバイパス排気管５０より排気するようにスプリング５２力で弁体５８を持ち上げバイパス排気管５０は開成し、吸引機構１２が作動して内部空間Ｓが負圧になったとき、スプリング５２力に抗して弁体５８が内部空間Ｓ側に引っ張られて開口部５１を閉成する。
吸引機構１２はバキュームファンにて説明する。
臭気用フィルター１４は、排出管３の端部３ｂと吸引装置１２との間に配置し、例えばヤシ殻活性炭素繊維を用いる。
フイルター１４の取付位置は大径の流体抵抗の少ないところが良い。
便器本体１０内の空間Ｓの断面積は、排出管３の端部３ｂの断面積より充分大きく開口しベルヌーイの定理により汚物を流下させ、空気等の気体はフィルター１４を通り吸引口１２ａより入り、吸引装置１２、排気扇１３を経て外へ放出させる。
図中、Ｙはトイレ室、４０は新鮮な外気を導入する外気導入口、２ｄ、２ｅは水洗機能の１構成部品で、２ｄは水洗用パイプ、２ｅは開閉弁、６は用便後汚物を流すための処理ボタン、７は制御装置、１１は便器台である。処理ボタン６はここに限定せずトイレ室Ｙの操作しやすい位置に設定すればよい。又、処理ボタン６はタッチスイッチでもよい。
尚、本発明の構成部品は、便器は市販品の便器を、受け容器は市販の例えば炊飯器の厚釜を、吸引機構は市販の掃除機の真空ポンプ等を利用することができる。
次に、第１実施例のトイレＡの作用を説明する。
用便前は、排気扇１３が作動しており、排気扇１３にて、外気導入口４０から取り入れられた新鮮な空気は、便器１の排出口１ｂより吸い取られ、排出管３を通り便器本体１０に入り、吸引口１２ａよりバイパス排気管５０を通り、排気扇１３、吐出口１３ｂを経てトイレ室Ｙの外へ流され、トイレ室Ｙは常に新鮮な空気が漂っている。
図の矢印（⇒）の如く空気等の気体は流れる。
使用者が用便するため便器に近づくと、図示しないセンサーを介して水洗水が少量出て便器表面を濡らす。
使用者が用便すると、排出口１ｂは一時遮蔽され排気扇の気体の吸い込みは中断するが、用便を済ませたあと、便器本体１０側に設けた処理ボタン６を押すと、制御装置７の指令で便器１内に水洗水が少量流され、汚物と汚物に使用したトイレットペーパーを濡らし、その後、吸引機構１２が急激に作動して、便器本体１０内の気体を瞬時に吸収し、便器本体１０内の空間Ｓを負圧にし、同時に空間Ｓの負圧力でバイパス排気管５０の弁体５８をスプリング５２力に抗して下方に吸引し開口部５１を閉鎖する。
内部空間Ｓの負圧で汚物は水洗水と共に、排出管３内を移動して端部３ｂから出るが、吸引力では引き上げられず、汚物の重量で受け容器５内に流下される。
空間Ｓ内の空気等の気体は軽く、吸引機構１２の吸引力により吸引口１２ａより吸引される。
このトイレＡの便器本体１０内を負圧にするのは、吸引機構１２を作動させたときだけである。
吸引機構１２を作動させていないときの所謂、待機状態では排気扇１３が回っていて空気等の気体を矢印（⇒）のごとく排出管３を通り開口部５１からバイパス排気管５０を通り、排気扇１３を通り、吐出口１３ｂから外方へ流れる。
吸引機構１２の不作動時は、気体は吸引機構１２内又はバイパス排気管５０を通過し排気扇へ流れる。
従って、トイレ室Ｙ内は、排気扇１３の作用でトイレ室外の新鮮な空気を積極的に取り入れ、便器１から便器本体１０内を経てトイレ室外上方へ放出するので臭わない。
このトイレＡの特徴は、排出管３を流れる汚物は、最大速度で流れ、受け容器５上の内部空間Ｓで汚物は最小速度に減速する。
内部空間Ｓから、吸込口１２ａで気体は吸引機構１２に吸い取られる。
内部空間Ｓ内では流体のうち汚物は、その重力にて受け容器５内に流下する。
吸引口１２ａに吸取られるのは、受け容器５内のガス等の気体である。
この構造は、汚物を受け容器５内に貯溜させる構造にて説明した。
更に発展させ汚物を便器本体からバキュームカーにて汲み取ったり、又は、焼却させてもよいが、この基本的構造では省略する。
次に、吸引機構を便器本体外に配置した第２実施例のトイレＢを第３図を用いて説明する。前記と同じ構造の説明は省略する。
吸引機構１２を便器本体１０外の上方に排気扇１３と共に配置する。
フィルター１４は便器本体１０の内部空間に設置する。
フイルター１４は流体抵抗の少ない内部空間の大径の所に設置している。
受け容器５は受け容器台７８上に載置されている。
この実施例の吸引機構１２は開放型のバキュームファンである。
従って、吸引機構が不作動時でも吸引機構１２内の隙間から気体は排気扇１３へ流れるのでバイパス吸引管を設けなくてもよい。
尚、吸引機構１２は、便器本体１０内のフィルター上の設置してもよいことは勿論である。
便器不使用の場合、排気扇１３にてトイレ室内、便器本体内の空気等の気体は吸引機構１２内を通り外方へ流される。従って、トイレ室内の臭気は滞留せず空気等の気体の流れに乗って押し出される。
便器を使用の場合、第１実施例と同様に吸引機構１２にて急激に内部空間Ｓを負圧にして瞬時に便器内の汚物を受け容器５内に流下させる。
次に、トイレ室Ｙに便器１のみ設置し、便器本体１０を壁３７を隔ててトイレ室Ｙ外に設置し、便器本体１０内に焼却炉を採用した第３実施例のトイレＣの構造を第４図を用いて説明する。
この実施例は第１実施例と同様にバイパス排気管５０を設け、吸引機構１２は密閉型である。以下第１実施例と異なる構造について説明する。８は便器本体１０内に断熱材で形成した有底筒状の炉体で、内壁内に受け容器５の底部を直接熱する加熱手段であるヒーター２８を底面部２７に設ける。ヒーター２８は更に側面部に設けてもよい。
ヒーターは一般的に電熱ヒーターである（市販の電熱コイルでも可）が、設置の規制がなければ例えばガスバーナーであってもよい。
炉体８には受け容器５内の灰を取り出すために受け容器５を側方から出せるように炉壁に開口部８ａを設け、この開口部８ａと便器本体１０の開口部１０ｐと灯体８の開口部８ａと一体に覆う炉側蓋５４を設ける。
ヒーター２８の電力源は、図示しないエンジン発電機、商用電源、バッテリー等である。
図中、８ｃは炉側蓋止め具、８ｄは炉中間蓋、８ｅは炉中間蓋に形成した内部開口部、８ｆは炉体８と一体の天蓋部、５４ａは把手である。
天蓋部８ｆには棚板１０ａの開口１０ｅに連通した外部開口部８ｋが形成され、更に排出管３の炉体８内は耐熱材３ｅで覆われている。
棚板１０ａの開口１０ｅの出口にフィルター１４を配置し、ガイド１５で覆われ、上部棚板１０ｂの開口部１２ａの上に吸引機構１２が配置され、更に上部棚板１０ｂに開口５１が設けられ吸引機構１２と並列に配置し吸引機構１２が不作動時に内部空間Ｓを経て流れた空気等の気体又は汚物焼却時に発生する悪臭ガス、水蒸気等の気体を通し、吸引機構１２の作動で内部空間Ｓが負圧になると遮断する構造のバイパス排気管５０が設けられている。
この構造において、常時トイレ室の臭気を無くす排気扇や、便器１から汚物を吸引機構１２にて受け容器５内に流下させるまでは、前記と同じであるので省略する。
用便後、処理ボタン６の操作で汚物を瞬時に受け容器内へ移動し続いてヒーター２８を加熱させる。
受け容器５内の汚物の焼却は、ヒーター２８を加熱させ、受け容器５内の汚物の水分を沸騰させ燃焼させ水蒸気と悪臭ガスを大量に発生して上方へ上昇させ、バイパス排気管５０を通過し排気扇１３の吐出口３ｂより放出させる。
高温の悪臭ガスと蒸気が蒸発上昇したあと、固形物が残り、更に焼かれて受け容器５内には灰だけが残る。
灰を取り出すには、便器本体１０の側蓋５４を開口８ａから外し、受け容器５を便器本体１０から取り出して受け容器５内の灰を除去する。
次に、便器本体１０内に複数の吸引機構を設けた第４実施例のトイレＤを第５図、第６図で用いて説明する。前記と同じ構造は省略する。
この構造は、１個の受け容器５の上部にトイレ本体１０内の空間Ｓの気体を強力に吸引するために３個の開放型の吸引機構１２ｄ、１２ｅ、１２ｆを便器１に対し横方向に並列に配設し吸引並列３連式にしたものである。
並列方式は風量が並列数を乗じた分増大する。真空度は同一である。
棚板１０ａの中央には、空間Ｓの気体を吸引させる開口１５ｂを形成した１つの吸込ガイド１５が形成されている。
棚板１０ａと上部棚板１０ｂとの間は空間Ｓ１を形成する。
上部支持棚１０ｂ上は密閉した１つの空間Ｓ２で３個の開放型の吸引機構１２ｄ、１２ｅ、１２ｆが配設されている。
各吸引機構は、下面中心から気体を吸い込み、側面の全周から放出するタイプの構造である。
又、上部棚板１０ｂには、吸引機構１２ｄ、１２ｅ、１２ｆに連通す３つの吸引口１２ａが形成されている。
気体の流れは、内部空間Ｓからガイド１５の開口１５ｂ、Ｓ１を通り各吸引口１２ａ、各吸引機構１２ｄ、１２ｅ、１２ｆを経て空間Ｓ２内の排気は集められ１つ吸引口１３ａより排気扇１３を経て吐出口１３ｂより大気に放出される。
この実施例はバイパス排気管がない例であり第２実施例と同じなので説明は省略する。
又、受け容器５を便器本体１０の側壁から取り出せるように開口１０ｄを設け、この開口１０ｄを覆う側蓋５５を設け、この側蓋５５から受け容器５を取り出す構造になっている。
受け容器５内の汚物は、受け容器５はそのままで、側蓋５５を外し、受け容器５内にバキュームクリーナーのノズルを挿し込んで汚物を吸い取ってもよい。
図中、５５ａは把手である。
次に、便器本体内で複数の吸引機構を便器１に対し、縦方向に配置した直列２連方式を採用した第５実施例のトイレＥを第７図に、又、便器１に対し、縦方向に配置した並列３連方式を採用した第６実施例のトイレＦを第８図で示す。
第７図は第４実施例のうち下部棚１０ａと空間Ｓ１を無くした構造で内部空間Ｓの上部に支持棚１７にて第１空間Ｓ３、第２空間Ｓ４を隔成し、支持棚１７上に吸引装置１２ｍ、１２ｎを載置し、支持棚１７に吸吸引装置１２ｍ用の吸引口１２ａを設け、第１空間Ｓ３側に第２空間Ｓ４を連通する吐出口１２ｂを設け、ガイド筒１８にて吐出口１２ｂと第２吸引口１２ｍとを連通させた。
気体の流れは、内部空間Ｓから吸引口１２ａ、吸引機構１２ｍ、空間Ｓ３、吐出口１２ｂ、ガイド筒１８、吸引口１２ｃ、吸引機構１２ｎ、空間Ｓ４、吸引口１３ａ、排気扇１３、吐出口１３ｂにて大気に放出する。２つの吸引機構が作動した場合は、吸引口１２ａは吸引機構２個分の吸引力が働く。従って、汚物を受け容器側へ移動させる吸引力も略倍増する。直列方式は風量は同じで真空度が略倍になる。
第８図は内部空間Ｓの上部に支持棚１７にて１つの空間Ｓ５を形成し、支持棚１７上に３個の吸引機構１２ｓ、１２ｔ、１２ｕを並列３連設け、各吸引機構１２ｓ、１２ｔ、１２ｕの位置する支持棚１７に各吸引口１２ａを形成し、各吸引機構にて同時に内部空間Ｓの気体を吸引させる構造とした。
気体の流れは、内部空間Ｓから各吸引口１２ａへ同時に入り、吸引機構１２ｓ、１２ｔ、１２ｕから空間Ｓ５へ、吸引口１３ａ、排気扇１３吐出口１３ｂをへて大気に放出される。
吸引機構が並列の配置のときは、真空度は変わらないが、風量が吸引機構の台数に比例増大する。
複数の吸引機構の配列は、排気管が長いとか高さが高いとか使用条件によって使い分ける。
次に、便器本体１０内に複数の吸引機構を上下に配置した直列２連方式を採用の第７実施例のトイレＧを第９図に示す。
棚板１０ａ上に１つの吸引機構１２ｒを、上部棚板１０ｂ上に他の吸引機構１２ｑを配置し、各吸引機構１２ｒ、１２ｑに接する棚板に吸引口１２ａを設ける。
吸引機構は開放型のバキュームファンで説明する。便器本体の側面の内部空間Ｓを吸い込むバイパス排気管５０ａを設け排気扇１３に連結する。
バイパス排気管５０ａは、一端が棚板１０ａ内の内部空間Ｓの側面に設けた吸引口５１ａに連通し、他端が排気扇１３に連通したダクト５２ｂと、ダクト５２ｂ内の吸引口５１ａ側に回転軸を介して回動する弁体５８ａと、弁体５８ａを常時吸引口５１ａを開成するよう付勢するスプリング５２ａとから構成される。
気体の流れは、吸引機構が作動しないときは、内部空間Ｓからバイパス排気管５０ａを経て排気扇１３へ流れる。
用便後、吸引機構を作動させたときは、内部空間Ｓが急激に負圧になりバイパス排気管５０ａの弁体５８ａがスプリング５２ａ力に抗して引っ張られて吸引口５１ａを閉成する。
従って、内部空間Ｓから吸引口１２ａ、吸引装置１２ｒ、吸引口１２ａ、吸引装置１２ｑを経て吐出口１２ｂから排気扇１３へと流れる。
この例の吸引口１２ａは２個分の吸引力が働く。汚物は２個分の吸引力により排出口１ｂより瞬時に吸引され受け容器５内に移動する。
受け容器５の取り出しは、第４実施例と同じく受け容器を便器本体の側壁から取り出せるように開口１０ｄを設け、この開口１０ｄと側蓋５５を設け、この側壁５５から受け容器を取り出す構造になっている。
次に、便器本体内に汚物の燃焼構造を設け、便器本体外に複数の吸引機構を設けた第８実施例のトイレＨを便器１に対し、横並列に配置した構造を第１０図、第１１図を用いて説明する。前記と同じ構造は省略する。
この例の吸引機構は、吸引機能と排気扇機能とを備えた構造である。
吸引機構と排気扇機能の切り替えは制御装置で行うが回路等の説明は省略する。吸引機構は開放型である。
又、便器本体１０内に炉体２５を設け、受け容器５内の汚物を焼却するものである。
又、汚物を焼却した受け容器５を便器本体の上方から取り出せる構造である。前記実施例と同じ構造、作用は省略する。
便器本体１０は内部に炉体２５を形成し、炉体２５の内面の底面と側面部に加熱手段である電熱ヒーター２８が配設されている。
炉上蓋２９には開口部２９ａが設けられ、この開口部２９ａ内に排出管３の端部３ｂが面している。この炉体２５と炉上蓋２９の外周面には断熱材が外張りされている。
便器本体１０内には受け容器５が１つで、便器本体１０の上方外方にダクト１２Ｂを介して３つの吸引機構１２ｇ、１２ｈ、１２ｊを並設した吸引機構ケース１２Ｈが設けられている。
便器本体１０とダクト１２Ｂと吸引機構ケース１２Ｈは連通し密閉されている。
便器本体１０の上部側面に共通吸込口１２Ａが設けられ、ガイド部１２Ｂは中央にある１つの吸込口１２Ａから内部空間Ｓの気体を吸い込み、３つに分散し、各吸引機構１２ｇ、１２ｈ、１２ｊの各吸引口１２ａにて吸い取り、各吐出口１２ｂ、１２ｂ、１２ｂより放出させる。
焼却時に発生する悪臭ガス等の気体も同様に各吸引機構を通り放出される。
この例は、排気扇は設けず、複数の吸引機構に吸引機能と排気扇機能をもたせ、吸引機構のモーター回転数をコイル巻き線のタップ切換え又はインバーター技術により、吸引機能の場合は高速回転で回し、排気扇機能の場合は低速回転で回すように設定制御する。
本発明では、便器本体１０の上面から受け容器５が取り出せるように、便器本体１０の上面に密閉し開閉可能な蓋部１０ｇを設けている。
又、炉上蓋２９が外せるように、排出管３を前部３ｄと後部３ｅとに分割し、前部３ｄと後部３ｅとはリング状カバー３ｈで結合し覆われている。又、このカバー３ｈは便器本体１０に排出管３の軸方向にスライド可能に取付けられている。
受け容器５の取り出しは、まず蓋部１０ｇを取り、続いて排出管３を覆うカバー３ｈを前外方にスライドして分割した排出管の後部３ｅを炉蓋２９から外し（前部３ｄは固定）、炉体２５の炉上蓋２９を取り、そのあと受け容器５を持ち上げ取り出す。
便器本体１０の上面から取り出させる構造を示したが、第３実施例の如く炉体２５の側面から出せるようにしても良いことは言うまでもない。
又、受け容器５をその都度出さずに蓋部１０ｇを外しバキュームクリーナーの先端を受け容器５内に挿入し、灰を取り除いてもよい。
本発明は便器本体に対し吸引機構を離間した構造であるので壁を設け、壁を挟んで余裕を持って配置することができる。
次に、１つの吸引機構に対し、複数の受け容器を設けた第９実施例のトイレＩを第１２図を用いて説明する。
この例は受け容器が２つである。又、吸引機能と排気扇機能はエンジン発電機２０にて行うものである。
エンジン発電機の吸引機能と排気扇機能は、制御装置にて接続する排出管又接続管の弁の開閉量にて調整する。
第１受け容器５Ａを内蔵する第１便器本体１０Ａと第２受け容器５Ｂを内蔵する第２便器本体１０Ｂが便器１と発電機２０の間に直列に配置さている。配列は並列であってもよい。
便器１の排出口１ｂと接続した排出管３Ａは第１端部３ｂを第１受け容器５Ａに面させ、排出管３Ａを延長した第２端部３ｃを第２受け容器５Ｂに面させ、排出管３Ａの第１端部３ｂと第２端部３ｃへの管内に切り替え弁３５ａを設ける。
又、第１便器本体１０Ａの上部に第１吸引口１６ａを、第２便器本体１０Ｂの受け容器５Ｂを密閉した蓋５ａに第２吸引口１６ｂを設け、第１吸引口１６ａとエンジン発電機２０のエアクリーナ２０ａとを結ぶ接続管１６に第２吸引口１６ｂを連結し、接続管１６内に切り替え弁３５ｂを設ける。
又、接続管１６の端部は一方は発電機２０へ他方は室内空間に臨ませＴ字状ダクト１６Ａを形成している。
Ｔ字状ダクト１６Ａ内の外端１６ｃ側には回転弁１６ｄが設けられ制御装置７にて外気導入と閉鎖とを行う。
エンジン発電機２０の通常の吸気は、室内空間へ臨ませたＴ字状ダクト１６Ａの端部１６ｃから外気を吸い入れ、トイレの吸引機能時は、処理ボタン６の操作で制御装置７により接続管１６の端部１６ｃ近くに設けた回転弁１６ｄを閉成してエンジン発電機２０は接続管１６から気体を吸引する。
吸引機能が終了しトイレの排気扇機能時となると、回転弁１６ｄを開にして外気を導入すると共に便器１の排出口１ｂ、受け容器５Ａ、５Ｂ、吸込口から気体を導きエアクリーナー２０ａに吸い取らせる。
又、第１の受け容器５Ａの底部には、汚物が一定量溜まると制御装置７に情報を送る重量センサー３９を設け、制御装置７にて情報を感知し、弁３５ａ、３５ｂを切替え、第２の受け容器５Ｂに汚物を流すようにする。制御方法については省略する。
又、第２の受け容器の底部にもセンサーを設け、汚物が満杯であることを制御装置に知らせ、警告を知らせるようにしてもよい。
用便後のトイレの作用は省略する。
図中、３７ａ、３７ｂは第１便器本体１０Ａ、第２便器本体１０Ｂを覆う壁面である。２２はエンジン発電機２０の排気ダクトである。
受け容器を複数設置するのは、多数の人が便器を利用できるように汚物の収容能力の増大を図ったものである。
この実施例は、吸引機能と排気扇機能とをエンジン発電機にて行うが、エンジン発電機２０に替えて吸引機構と排気扇とを取り付けてもよい。
次に、受け容器を複数設けた他の配置の第１０実施例のトイレＪを第１３図に、第１１実施例のトイレＫを第１４図に示して説明する。
第１３図は、便器１と２つの受け容器５Ａ、５Ｂとを二又状排出管３Ｂで接続し、各受け容器５Ａ、５Ｂを二又状排気管１６Ａにて再び一個所に集められ吸引機構１２と排気扇１３に接続したものである。
切り替え弁３５Ｃは排気管１６Ａ側だけである。
排出管３Ｂは弁が無く連通可能に開放されている。
第１４図は、便器本体１０内に２つの受け容器５Ａ、５Ｂを配置し、共通の内部空間Ｓ８に１つの吸引口１２ａを設け、吸引機構１２と排気扇１３で接続したものである。
切り替え弁３５ｄは排出管３Ｂ側だけである。
これらの構造は、１つの切り替え弁３５ｃ、３５ｄを切替えることにより吸引機構１２による受け容器を切替えるようにした。
次に、具体的に車両に設置した第１２実施例のトイレＬを第１５図を用いて説明する。
車両Ｍはトイレ専用車、又は荷台にトイレを設置したものであってもよい。この例は軽車両の専用トイレにて説明する。
車両の後部荷台を前後に区画し、前部をトイレ室Ｍ１に、後部を動力室Ｍ２にする。
トイレ室Ｍ１には、トイレＬを設置する。動力室Ｍ２には、発電機２０を設置する。
エンジン発電機２０は、排気扇機能と、吸引機構及びヒーターの電力源とを有し、更に、汚物焼却時に発生する水蒸気、悪臭ガス等を高温燃焼させ分解消失させる。
又、エンジン発電機２０に換えて、吸引機能と排気扇とヒーターとの電力源として一般商用電源を利用する構造にもなっている。
トイレＬは、便器１と、便器本体１０と、便器本体１０内の電源又は商用電源にて受け容器５内の汚物を焼却するヒーター２８と、受け容器５の上部に形成した棚板１０ａと、棚板１０ａ上に設置した密閉型の吸引機構１２と、吸引機構１２に並設したバイパス排気管５０と、便器本体１０の上方に設けた吸引口３０ａと、一端を吸引口３０ａと接続し他端をエンジン発電機２０の外気導入管４１に接続した接続管３０Ａと、接続管３０Ａの中途で端部を車外に延設し内部に排気扇１３を有する排出筒３２と、同じく接続管３０Ａの中途に設けた安全弁３５とで構成され、接続管３０Ａと外気導入管４１との接続部には排出弁３０ｄが設けられている。
便器１と受け容器５とは排出管３にて連通されている。
便器本体０の内周面には断熱材が内張りされている。
排出弁３０ｄは開成しその開成の割合は外気導入管４１の管径との比で設定されている。
接続管３０Ａの排出筒３２への開口４２ａと安全弁３５への開口４２ｂには、軽球５３ａ、５３ｂが当接されている。
排出筒３２の軽球５３ａと安全弁３５の軽球５３ｂとは接続管３０Ａ内の風圧が大のとき軽球５３ａ、５３ｂを持ち上げ開成する。
又、バイパス排気管５０は第１実施例と同じであり説明は省略する。
図中、４０ａはトイレ室の第１外気導入口、４０ｂは動力室の第２外気導入口、２１はエンジン発電機２０より便器本体１０に電力を供給する配線、２２はエンジン発電機２０からガスを排出する排出ダクト、２３はフロア、２４はマフラー、３７は壁面、７９は運転室を示す。
この実施例の作用を説明する。
エンジン発電機を吸引機構１２とヒーター２８との電力源と、排気扇機能と、更に汚物焼却時に発生する悪臭ガスの燃焼消失として利用する場合について説明する。
エンジン発電機２０が運転中で、便器１を使用しない待機時は、外気導入口４０ａから便器１の排出口１ｂを経て便器１内に空気が入り便器本体１０の内部空間Ｓから主にバイパス排気管５０を経て接続管３０Ａを通り、外気導入口４０ｂの外気と共にエンジン吸気口４１を通りエアクリーナー２０ａに入り、エンジンの燃焼室を通り燃えて排出管２２より排出される。この場合、エンジン発電機２０は排気扇機能を行う。
次に、便器１を使用し、用便後、処理ボタン６を押すと、吸引機構１２が数秒間作動して内部空間Ｓは瞬時負圧となり、バイパス排気管５０が閉鎖し、接続管３０Ａに吸引機構１２からの大量の空気が入り、排出弁３０ｄから出る風量に制限があるので、余分の空気は軽球５３ａ、５３ｂを持ち揚げ、開口４２ａ、４２ｂを通り、排出筒３２から車外へ、安全弁３５から動力室Ｍ２内に空気を出しエンジン吸気口４１を通りエアクリーナー２０ａに入り、エンジン内で臭気は高温処理され無臭となり排出管２２より排出される。
吸引機構１２が作動している間は、燃焼は停止している。
続いて、電熱ヒーター２８がオンし汚物は焼却状態となる。
焼却時に発生する水蒸気、悪臭ガスの気体は主にバイパス排気管５０を通り吸引口３０ａから接続管３０Ａを通り外気導入口４０ｂからの空気と共にエアクリーナー２０ａに入りエンジン内で高温燃焼させ分解消失させる。
次に、商用電源を吸引機構１２とヒーター２８と排気扇の電力源として使用するときについて説明する。
一般商用電源を使用するのはエンジン発電機２０が作動できない場合等で、図示しない一般商用電源からトイレに接続する。
便器１を使用しない待機時は、排気扇１３により、外気導入口４０ａから便器１の排出口１ｂを経て便器１内に入り便器本体１０の内部空間Ｓから主にバイパス排気管５０を経て排気口３０ａから接続管３０Ａの開口４２ａ、排出筒３２、排気扇１３、吐出口１３ｂにて大気に放出される。
軽球５３ａは、排気扇１３により吸い取られ浮いて開口４２ａは開く。尚、４２ｂは軽球５３ｂにて閉成している。
予め水洗水が流れることの説明は省略する。
次に、便器を使用し、用便後処理ボタン６を押すと、吸引機構１２が作動して内部空間Ｓが急激に負圧となり、バイパス排気管５０が閉鎖し、吸引機構１２による負圧で瞬時に汚物が排出管３内に吸引され受け容器５に流下される。吸引機構１２に吸引された気体は排気口３０ａから接続管３０Ａへ、エンジン発電機が停止しているときは内部空間Ｍ２の気圧は高いので、殆ど開口４２ａ、排出筒３２、排気扇１３より大気へ放出される。
吸引機構１２が作動せず電熱ヒーター２８にて汚物が焼却中は、焼却時に発生する悪臭ガス等の気体は、バイパス排気管５０を経て吸引口３０ａから接続管３０Ａを通り開口４２ａから排出筒３２を通り排気扇１３より外方側へ放出される。
尚、商用電源の場合は、エンジン発電機の利用の如く悪臭ガスの臭気の完全な無臭化はできない。
上記例は、エンジン発電機２０を使用する場合は、便器本体１０内の吸引機構１２と、エンジン発電機２０の排気扇機能を使用し、一般商用電源の場合は、吸引機構１２と排気扇１３を使用し、汚物は電熱ヒーター２８により焼却するが、発生する悪臭ガスはエンジン発電機のエンジンにて無臭化させる。
又、図示しないが、上記トイレ本体１０に吸引機構と排気扇とを備え、エンジン発電機にヒーターの電力源と吸引機能と排気扇機能とを備え、更に、汚物焼却時に発生する水蒸気、悪臭ガスの無臭化として利用してもよい。
上記は電力源を商用電源にて説明したが、バッテリーを車両のルーフ上に太陽電池を設けて蓄電して電力源としてもよい。
又、吸引機構を開放型で説明したが、密閉型であっても良い。密閉型の場合、吸引機構１２が不作動のときは、気体はバイパス排気管５０を通ることになる。
又、吸引機構が開放型の場合はバイパス排気管はなくてもよい。
尚、エンジン発電機を排気扇機能と吸引機能に用いず、エンジンを悪臭ガスの臭いを無くすためにのみ利用する場合は、エンジン発電機でなく発電機である。
又、この例は吸引機構１２を１個で説明したが、吸引機構を複数個設けてもよい。
図示しないが、上記トイレ本体１０に吸引機構と排気扇とを備えエンジン発電機２０にヒーターの電力源と吸引機能と排気扇機能とを備え、更に汚物焼却時に発生する水蒸気、悪臭ガスの無臭化として利用してもよい。
次に、具体的に、車両のトイレ室に設置したトイレで、動力室のエンジン発電機を、吸引機能と排気扇機能として利用する第１３実施例のトイレＭを第１６図を用いて説明する。
この例は、トイレ室Ｍ１に配置した車両用のトイレＭで、汚物の受け容器５への移動としての吸引機構の吸引機能と、室内の臭気を便器の排出口１ｂから吸い便器本体を経て外方へ放出させる排気扇機能とを動力室Ｍ２に配置のエンジン発電機２０で行うものである。
エンジン発電機２０のエンジンは運転時に大量の外気を吸入するが、この実施例はこのエンジンの大量の外気吸入を利用して便器より汚物を受け容器５内へ吸引させる、つまり、エンジンの運転時に瞬時、外気吸入を便器本体内の空間Ｓ内の空気吸入に切替えて内部空間Ｓ内を真空にし汚物を受け容器側に移動させる吸引機構の働きをさせるものである。
便器１及び便器本体１０は、前記例と同じであり説明は省略する。
便器本体１０の側面と炉体２５の側面には受け容器５が出せるように開口部１０ｄが一体に形成され、この開口部１０ｄを覆う側蓋カバー５５が設けられている。
受け容器５は受け容器台７８上に載置されている。
便器本体１０とエンジン発電機２０とは接続管３０Ｂにて接続されている。尚、壁面は便器本体１０とエンジン発電機２０とを仕切る壁面３７で図示されているが、２点鎖線で示すように、便器１と便器本体１０とを仕切る壁面３７ｃであってもよい。動力室Ｍ２には便器本体１０とエンジン発電機とを設けることになる。
又は壁面３７ｃと壁面３７とを設けその空間に便器本体１０を設けても良い。この場合、処理ボタン６は壁面３７ｃに設ける。
接続管３０Ｂの中途には外気調整部３４を形成する。外気調整部３４は、エンジン発電機２０のエンジンが必要とする全空気吸入量を確保する大きさの外気導入口３３と、外気導入口の開閉を調整する蓋部３６と、蓋部３６又は便器本体１０側に一端を固定し常時蓋部３６をスライドして外気導入口３３を開成する調整部の１部の弾性部材であるスプリング２ａと、蓋部３６のエンジン発電機２０側に固定し、蓋部３６をスプリング５２ａ力に抗して引き、外気導入口３３を閉成させる同じく調整部の１部であるプランジャー３１と、蓋部３６を摺動させるガイド３ａとからなる。
外気導入口３３の開閉量の調整で排気扇機能と吸引機能とを行う。
調整は制御装置にて自動的に行う。制御方法は省略する。
外気導入口３３の閉成は、用便後、処理ボタン６を押して内部空間Ｓを負圧にさせ汚物を便器１側から受け容器５内へ移動させる僅かな時間帯だけであり、これは制御装置７からの外気調整部３４への指令でプランジャー３１を吸引して蓋部３６をガイド３６ａ上にスライドさせ導入口３３を閉成する。
エンジン発電機２０の外気の導入はストップし、切り替って便器本体１０の内部空間Ｓから気体を導入する。
内部空間Ｓは急激に負圧となり、汚物は瞬時に排出口１ｂから排出管３を経て端部３ｂから受け容器５内に流下する。
汚物が吸い取られると制御装置７の指令で即プランジャー３１の吸引力を解除し外気導入口３３は開成し、外気が外気導入口３３に入り元のエンジン発電機２０の吸気状態となる。
この第１３実施例の作用を説明する。
エンジン発電機２０が通常稼動しているときは、吸引ダクト３２の外気導入口３３は全開していて、エンジンの大気吸入量を担っている。
この全開でも、便器側から空気を吸入し便器本体の吸引口１２ａからエンジン側に吸い込まれて排気扇機能を発揮する。
この状態で、便器使用者が便器１に近づくと、センサーにて水洗水で便器の表面を濡らす。用便後、処理ボタン６を押し、便器１内に水洗水を流し、開閉部材３４をスライドして外気導入口３３を閉鎖する。
一方、エンジン発電機２０からの吸気の要請で便器本体内の空間Ｓの気体が瞬時に吸い込まれ空間Ｓは負圧となる。空間Ｓが負圧となると同時に、排出口１ｂの汚物が引っ張られ受け容器５内に流下する。流下後、即開閉部材３４をエンジンの外気導入の正常の位置に戻す。
開閉部材３４をエンジンの外気導入位置に戻した場合でも、便器本体Ｓ内の空気は吸引ダクト３２を介してエンジン発電機２０側と連通しているので、常に便器本体Ｓ内の気体をエンジン側に移動させている。
用便後に、受け容器内の汚物のガス等気体は、常に接続管３０Ｂを経てエンジン発電機２０に導入し排気扇機能を行う。
従って、トイレ室内の臭いは解消する。
この場合、外気導入口３３は全開している。
外気調整部は蓋とプランジャーで説明したが、エンジン側への外気と内気との調整が可能であれば他の方法でもよい。
次に、受け容器５の内部空間Ｓの気体を吸い上げるのに高圧のエアコンプレッサーを用いた第１４実施例のトイレＮの第１７図、第１８図を用いて説明する。
第１７図は、高圧エアにて吸引管の先端を吐出管内に挿入した構造である。便器本体１０内の上方にエアコンプレッサー８５を配設し、受け容器５の上面の蓋５ａに排出管３の端部３ｂと吸引口１２ａをもつ吸引管８６とを接続させ、エアコンプレッサー８５から圧縮空気を送るガイド管８７とガイド管８７に連結した太径の吐出管８８とで構成し、吸引管８６の端部８６ａは，吐出管８８内でかつガイド管８７の先端の噴き出し孔８７ａに接する位置に挿入される。
エアコンプレッサー８５のジェット（噴射気流）の中に吸引管８６の先端８６ａが挿入されることにより、吸引管８６にぶつかった気流は剥離し、そこに渦ができ、そこの気圧は他の流れの気圧より小となる。そのため、他の流れの気圧との大きな圧力差が生じ、吸引管８６から受け容器５内の気体を吸い上げる。
第１８図は、エアスプレーガンの内部混合式を利用したもので、吐出管８８から大気へ噴射する前に、ガイド管８７からの圧縮空気と受け容器５内空間の気体とを混合部４３の内部空間４３ａ内で混合させ大気へ放出させて受け容器５内の気体を吸い上げるものである。
次に、具体的に、仮設トイレに採用する第１５実施例のトイレＰを第１９図を用いて説明する。
仮設トイレ８０は、ベース部８０ａと、ベース部８０ａに立設した略箱型のハウジング８０ｂと、ルーフ８０ｃと、トイレ室Ｙ内に設置したトイレｐとで構成される。
ベース部８０ａは、硬質プラスチックの箱体に成形する。
トイレＰは、便器本体１０と、便器本体１０より前方突出の便器１と、便器本体１０内に位置し汚物を貯溜する受け容器５と、一端を便器１の排出口１ｂに接続し，他端３ｂを受け容器５上に面した排出管３と、受け容器５上に位置したフィルター１４と、フィルター１４上の吸引装置１２と、ハウジング８０ｂの外側に配置した排気扇１３と、フィルター１４を経て側壁より導いて排気扇１３に接続したバイパス排気管５０ｂとで構成されている。
バイパス排気管５０ｂの構造は第７実施例のバイパス排出管５０ａと同じで省略する。
図中、２ｃは水タンク、４０は外気導入口、８１はドア、８２はステップを示す。
尚、排気扇１３は、便器本体１０内に設けてもよいことは勿論である。常時は、排気扇１３にて外気を外気導入口４０から導き、便器１の吸引口１ｂ、排出管３、内部空間Ｓ、吸入口１５ａ、フィルター、バイパス排気管５０ｂ、排気扇１３を経て外方へ流し、この空気の流れで周囲に滞留している臭気を含む気体が引っ張られ放出する。
便器使用者が用便後、処理ボタン６を操作して吸引機構である真空ポンプ１２を作動させ、便器本体１０内を負圧にし、排出管３を介して便器１内の汚物を受け容器５側に吸収する。
受け容器５内に溜まった汚物は、便器本体１０内の側部からそのまま取り出すか又は汚物をバキュームカーで吸い取る。又ベース部５０ａに便槽を設けた場合は便槽内に移行させる。
真空ポンプ１２はバイパス排気管５０ｂを設けるので密閉型であるが、開放型の吸引機構であってもよい。開放型の場合、排気扇１３の作動時には主にバイパス排気管５０ｂを気体は通り、一部の気体は不作動の吸引機構１２内を通る。
又、汚物を焼却する場合は、受け容器５の底部にヒーター等の加熱手段を設けて焼却することになる。
尚、焼却式を採用したときは、１０の内部は断熱材を貼る。
電源は商用電源を用いるが、発電機やバッテリーや、太陽電池でもよい。又、開閉ドア５１やステップ５２にセンサーを設けてドア５１を開たら又はステップ５２に便器使用者が載ると、予め便器内を水洗水で濡らすようにしてもよい。
次に、具体的な仮設簡易トイレに採用する他の例である第１６実施例のトイレＱを第２０図を用いて説明する。
この仮設トイレ８０は、ベース部８０ａと、ベース部８０ａに立設した略箱型のハウジング８０ｂと、ルーフ８０ｃとで構成される。
トイレ室Ｙ外のベース部８０ａ上には側室５６が設けられている。
この例は第１５実施例に対し、便器１のみトイレ室Ｙに設け、便器本体１０をトイレ室Ｙ外の側室５６に配置した便器１と便器本体１０と離した構造である。便器１の説明は第１５実施例と同じであり省略する。
ベース部８０ａの側室５６下には、水タンク６３を形成する。
側室５６には、便器本体１０と、エンジン発電機５７と、制御装置６５がある。
便器本体１０内には受け容器５と、受け容器５を覆う炉体２５と、炉体２５の下部に設けた汚物焼却用の電熱ヒータ６１と、上部に吸込口６２ａを有する吸引管６２と、上部に椰子ガラ活性炭等のフイルター層１４がある。
便器本体１０内は炉体２５で内周６面には断熱材６７が内張りされている。尚、２９は炉蓋である。
便器本体１０の上部には、吸引管６２と接続した吸引機能と排気扇機能とを兼ねるエンジン発電機５７があり、エンジン発電機５７から出た排気管６４は側室５６の外に延設し、端部は外方側に放出している。
６５ａは物置き用台である。
ベース８０ａ内の側室５６下の１角には、水タンク６３を形成し、タンク６３内に一端４８ｂを挿し込み、他端４８ａを上方に延長して室内に貫通しその端部に蛇口４９を設けた揚水ポンプ４８が設けられている。室内の水洗タンク２ｃ上の水受け２ｆに蛇口４９が位置する。
トイレ室Ｙ側面には処理ボタン６が設けられている。２７は処理ボタンのベースである。
トイレ室Ｙの外気導入口４０は、ドア８１の上下の隙間である。
汚物の燃焼、気体の流れは上述と同じなので省略する。
エンジン発電機５７は、吸引機能と排気扇機能とを有し、更にこのエンジン発電機５７を汚物の焼却時に発生するガスを高温燃焼して分解消失させる。
つまり、エンジン発電機５７の吸引力により汚物は排出管３を通り、受け容器１０に移動し、気体はフイルター層１４を通りエンジン発電機５７内に入り高温で燃焼し臭い成分を分解し排気管６４より排出される。
次に、仮設簡易トイレのその他の例である第１７実施例のトイレＲを第２１図、第２２図を用いて説明する。
前述の第１６実施例と異なる構成について説明する。仮設簡易トイレＲは仮設トイレ８０の下に、更に汚物タンクであるベース部４４を有する。ベース部４４は負圧に耐える汚物タンクを形成する。
汚物タンク４４は第２２図に示すように蓋部材４７と、蓋部材４７を被せる汚物タンク部４６と、蓋部材４７と汚物タンク部４６との空間Ｓ８に汚物タンク部４６を区画し、汚物の臭気を防ぎ、更に汚物タンク４４上に載せる仮設トイレ８０の補強と汚物タンク４４の負圧に耐えられるようにクロスさせた仕切り板４５とで構成され真空となる汚物タンクを形成する。
４枚の仕切り板４５で囲まれた区画内に便器本体１０が位置し、汚物タンク部４６は方形で内部四面に仕切り板４５を挿し込み固定するガイド溝４６ａが一体に形成されている。この仕切り板４５とガイド溝４６ａは汚物タンク部４６が負圧になっても耐えられる構造となっている。
仕切り板４５には上下に切り欠きを形成し、上部切り欠き４５ａにて内部空間Ｓ８が連通可能となっている。又、下部切り欠き４５ｂにて貯溜した汚物の移動が可能となっている。蓋部材４７には漏斗状のガイド１５ａの端部が挿入し便器１からの汚物を汚物タンク４４内に流下させる開口４７ｃと、蓋部材４７の１側に汚物の吸い取り口４７ａと水入り口４７ｂが形成されている。
又、この水入り口４７ｂは、仕切り板４５にて仕切られたれ１コーナーを密閉し水洗水用の水槽に利用し、ベース部４４上の水タンク６８に替えダクト７１を延長して水入り口４７ｂから挿入し水洗水として使用する構造になっている。
このコーナーを水槽として利用すると、仮設トイレ８０の外側に設けた水タンク６８が節約できる。
蓋部材４７の上面には、仮設トイレ８０と仮設トイレ８０の外側に便器本体１０と水タンク６８とが設置されている。
トイレ室Ｙを形成する仮設トイレ８０内には、便器１と、水洗タンク２ｃ、手洗い２ｆ、処理ボタン６、室内灯８４、水洗部２ｃが配置されている。
仮設トイレ８０の外側の便器本体１０には、便器１の排出口１ｂから接続した排出管３Ｂの端部３ｂとガイド部１５ａとフィルター１４と、棚板１０ａと、上に吸引機構１２と排気扇１３が設けられている。
排気扇１３の上端には吐出口１３ｂが設けられ、吐出口１３ｂは空気を外方側へ放出する排出筒３２ａと連結されている。
又、排出筒３２ａの上端には風を受けて回転する排気扇１３Ａを並設して節電を図っている。
ルーフ８０ｃ上には、電力源発生の太陽電池のソーラーセル９０を配し、排気と水ポンプ７０と夜間の照明８４とに電力を供給する。
太陽電池を用いた電力装置は、図示しないが、太陽電池と、太陽電池からの直流電流を受け入れ蓄積し出力するバッテリーと、インバータと、バッテリーからの直流を交流電流に換え太陽電池とバッテリーとの間に介在しインバータに接続して太陽電池から直流電流の過充電、逆流を防止しかつバッテリーからインバータに放電しインバータに電力を安全供給させるチャージコントローラーとからなる。
便器１の排出口１ｂの端部は、直接下方の汚物タンク４４内に流下させても良いが、出来るだけ汚物タンク４４内の臭気を外気側に出さないため、ハウジング８０の外側の便器本体１０内の空間Ｓで汚物は汚物タンク４４に流下させる、汚物タンク４４内は密封なのと開口部は１箇所で小径なので、汚物タンク４４内の臭気はほとんど外気側には排出されない。図中、６９は物置き台である。
排出管３Ｂの端部はガイド筒１５ａ内に面し、ガイド筒１５ａは汚物タンク４４に連通させている。
この汚物タンク４４は前述の各実施例の受け容器に相当する。
汚物タンク部４６上に設置した便器本体１０の側方の受け台６９上に水タンク６８が設けられ、一端が水タンク６８内に他端に蛇口４９が設けられ中途に水ポンプ７０を設けたダクト７１が設けられている。
更に、汚物タンク部４６上面の汚物の吸い取り口４７ａには汚物汲み取り用の蓋４４ａが取付けられている。
この実施例の作用を説明する。
便器１を使用しない待機時は、排気扇１３により、外気導入口４０から便器１の排出口１ｂを経て便器１内に入り便器本体１０の内部空間Ｓと汚物タンク４４の内部空間Ｓ８とからフィルター１４、吸引口１０ａ、吸引機構１２を経て排出筒３２ａより空気等の気体が流れ放出される。
次に、便器使用者が便器１を使用しようとして、便座１９に座るとセンサーが感知して、便器１内に水洗水を濡らす。用便後、使用者が処理ボタン６を押すと、水洗水が再び出、吸引機構１２が作動して内部空間と、内部空間Ｓと連通した汚物タンク４４の内部空間Ｓ８とが急激に負圧となり、排出口１ｂの汚物を排出管３Ｂを介して瞬時に汚物タンク４４内に流下させる。気体だけが上方の吸引口１２ａへ吸引される。
従って、汚物は汚物タンク４４内に貯溜される。
尚、便器使用者の用便前に便器内を水洗水で濡らすのに、便蓋９、又は便座１９にセンサーを設けて便器使用者が座ると水洗水を供給させるようにしてもよいが、その他に、仮設トイレのステップ８２に載ると感知する方法や、ドア８１を開けると感知するようにしてもよい。
次に、バイオを用いて汚物を消滅処理する構造の第１８実施例のトイレＳを第２３図を用いて説明する。
前記第２２図と異なる構造について説明する。
汚物タンク４４を仕切り板７３でベース部の便器本体下方の１画を区画し、この区画内は汚物分解処理槽７２である。この例は１画であるが汚物タンク全域であってもよい。
７３ｂは汚物タンク４４の補強材である。
汚物分解処理槽７２内には、バイオ汚物処理装置が設けられている。
バイオ汚物処理装置は、槽内に回転自在に回転軸が取り付けられ回転軸７４ｂに攪拌羽根７４ａが一体的に攪拌機７４が固定されている。
槽７２の側部の槽外には回転軸７４ｂを回転させる駆動モータ７５、ベルト７６が設けられている。
汚物処理槽７２内には攪拌羽根７４ａで攪拌動作できる量の汚物処理用チップ７７が堆積されている。
チップ７７は自然界や排泄物に棲息するバイオ（微生物）菌を担持させた例えば木質チップである。
この例の作用を説明する。
便器１の使用しないときは、排気扇１３の駆動でドア上下の隙間の外気導入口４１より空気をトイレ室Ｙに入れ、便器１と便座１９と便蓋９との間から排出口１ｂより排出管３Ｂを経て内部空間Ｓ９に入り、吸引口１２ａより吸引機構１２、排気扇１３を経て大気に放出する。トイレ室Ｙ内の臭いは放出される。
同時に、内部空間Ｓ６に面する汚水処理槽７２内のチップ７８の表面の臭いをも吸い上げる。
便器使用者が便座１９に座すと、便器１に設けたセンサー（図示せず）が検知し水洗水を水タンク２ｃから便器１を濡らす程度に出す。
使用者が用便後、処理ボタン６を押すと、吸引機構１２が作動し内部空間Ｓ９が負圧となり汚物は排出管３Ｂから汚物分解処理槽７２内に流下する。
続いて、駆動モーター７５が駆動して攪拌羽根７４ａを回転しチップ７８と汚物とが攪拌混合する。前の分解中の汚物と共に攪拌混合する。汚物とチップ７８の攪拌混合で微生物の分解、脱臭が行われる。
攪拌混合は所定時間続行する。
従って、汚物はチップの微生物の働きで分解消滅処理する。
次に、便器を男性用小便器にした構造の第１９実施例のトイレＴを第２４図を用いて説明する。
上述の各実施例と異なる構造について説明する。
トイレＴは、男性用小便器１Ａと便器本体１０とで構成され、男性用小便器１Ａは上述の便器と外形は異なり、便蓋と便座が無い開放型である。その他は同一である。
用便前に水タンク２ｃより所定量の水洗水を流し、便器を濡らす。小用を済ませたあと、操作ボタン６を押すと吸引機構１２が作動して内部空間Ｓを瞬時に負圧にし小便の汚物を排出管３から吸引し受け容器５内に流下させる。
所定量溜まった小便の汚物は、側蓋５５を取り、便器本体１０内の受け容器５を取り出し処理する。
排気扇１３の機能やその他の構造の説明は省略する。
次に複数の便器と１つの受け容器との構造を説明する。
具体的に大小便兼用の便器と男性用小便器との２つの便器を設けた第２０実施例のトイレＵを第２５図を用いて説明する。
トイレＵは、大小便兼用便器１と、男性用小便器１Ａとの２つの便器と１つの受け容器４を内蔵した便器本体１０とで構成される。
排出管３Ｅは、便器１の排出口１ｂと小便器１Ａの排出口１ｅとに夫々接続し分岐部３Ｆで一個所に集められ共通管を経てその端部は受け容器４内に面させる。
二又状の分岐部３Ｆ内に調整用の弁３５ｅを設け、大小便兼用便器側と男性用便器側に互いに切り替えられ各便器側と便器本体の内部空間Ｓと連通可能に形成されている。弁３５ｅの開閉は制御装置にて行う。
図中、３７ｆは便器１と男性用小便器１Ａとを区切る衝立であり、３７は便器１、１Ａと便器本体１０とを分離する壁面である。
尚、各便器１、１Ａと便器本体１０は前述と同じ構造であり説明は省略する。
各便器を使用しないときは、弁３５ｅは各便器１、１Ａの排出口１ｂ、１ｅと便器本体１０の内部空間Ｓとが全て連通するよう開弁し排気扇により外気導入口より外気を吸い内部空間Ｓを経て外方へ放出している。次に、例えば、便器１を使用するときは、便器１に人が接近すると水洗水を流すと共に、弁３５ｅが他方の便器１Ａの排出口１ｂを閉鎖する。従って、便器１と便器本体１０の内部空間Ｓは連通する。
吸引機構１２の作動で内部空間Ｓは負圧となり、便器１に溜まった汚物は分岐部３Ｆを経て共用管から端部１ｂで受け容器４内に流下する。
又、男性用小便器１Ａを使用しようとして人が接近すると、便器を水洗水で濡らすと共に、弁３５ｅを排出口１ｅと端部３ｂが連通するよう切り替り、吸引機構１２の作動で便器１Ａの汚物は吸引される。
この例は、排出管３Ｅが二又状であるが、二又以上の複数の便器でも可能である。
又、その他の方法として、各便器の排出口と受け容器４内に直接接続する個々の排出管を互いに設けてもよい。
この場合、各排出管内に弁が設けられ制御装置にて一方が開のとき、他方が閉となるようにする。
次に上述の実施例に共通する内容を以下に説明する。
トイレの便器を連続使用することも可能である。
上述では吸引機構は、強力な大型で作動時に汚物を瞬時に吸引する構造で説明してきたが、小型のコンパクトな吸引機構を利用することもできる。
小型のコンパクトな吸引機構を利用すると、便器に落下する汚物はその都度吸い取られて、便器表面には便が付着しない。便は瞬時でなく少しずつ移動する。
小型の吸引機構は、用便中でも、その都度便器に落下する汚物を吸い込み、便器には常に汚物が残らなく衛生的である。
汚物が大便でなく小便の場合も、大便と同様の操作で吸引し処理する。汚物を焼却する構造においても大便の場合と同じである。
本発明は制御装置について特に言及しないが、センサーと結んで種々の作動を行う回路があるが、その説明は省略した。
本発明のフラッシュトイレの構成部品は、市販の部品を利用することができる構造になっている。
例えば、吸引機構は、強力な掃除機のバキュームファン、又は真空ポンプの単体を改良して利用する。又、汚物入れの受け容器は、市販の炊飯器用、ボウル、又は深鍋等を利用する。
更に、加熱手段としては、同じく市販の発熱コイルや石英管ヒータ等を利用することができる。
本発明は、上述の構成を有するので、以下の効果を奏する。
本発明の負圧吸引トイレは、便器の排出口と吸引機構の間、便器の排又負圧の蓄積タンクも無い。
更に、便器の排出口と汚物タンクの間、汚物タンクと吸引機構の間に遮断するバルブ等が無いので、複雑な弁、バルブの開閉機構の設定がなく、故障がなくなり、メンテナンスの煩わしさが無い。又、大幅なコストダウンとなる。
便器不使用時に、排気扇を作動させ、外気取入れ口より外気を取り入れ、便器の排出口から積極的に吸気し排出管を通り便器本体に入り、不作動の吸引機構の隙間又はバイパス排気管を通り外部に排出して、トイレ室に絶えず室外の新鮮な空気を吸い込ませ、トイレ室に漂う臭気や便器の臭気を便器の吸引口から吸い込ませて大気に放出するので、従来から解決していないトイレ室は臭いのイメージを払拭させトイレ室は清潔のイメージを与える。
吸引機構が小型の場合は、用便中は常に吸引機構を作動させ便器内の汚物を少しずつ排出口より排出管を通り受け容器等に移動させる吸引機構の能力を小さくてよいのでトイレの小型化が容易であると同時に安くできる。
又、便器内はいつも汚物がなく無臭となる。
吸引機構が強力な場合は、瞬時に吸引するので、従来の真空トイレと同様の吸引力を発揮する能力がある。
排出管は形状や長さ、高低に制限がなく、便器と便器本体を離すことができ設計の自由度を増す。
吸引機構と排気扇を使用しているが吸引機構１台で吸引機能と排気扇機能を受け持たせることができる。この場合、トイレはコンパクトで、コストも安くできる。
吸引機構の駆動モーターをインバーター技術等又はモーターコイルの切り替えで回転数を制御することで吸引の時は最大能力の回転にして使用する。
排気扇機能のときは回転数を少なくし消費電力を抑え使用する。
気体の流れの最終工程に排気扇を設置し、この排気扇でフラッシュトイレ内の気体を吸引させる構造を採用しており、便器は勿論、トイレ室の臭気をも吸い込み、消失又は外部へ放出させるので、従来から解決されていない臭気は解消される。
従来の便器の排出管の中途に汚水貯溜部からの臭気が便器に排出するを防止するＳ型の封水部を形成することが設けられているのに対し、排出管の形状は自由で又長くすると、高さに制限も不要である。
本発明は排出管内を封水するのでなく、逆に開放して外気導入口として利用するものである。
本発明の基本的トイレは、従来の真空トイレが真空タンクに負圧を蓄えるため長時間真空ポンプを作動させなければならないのに対し、本発明は、用便時のみ吸引機構を作動させればよく電力の無駄を無くすことができる。
本発明の基本的トイレは、従来の真空トイレのように各ダクト間に弁やバルブを設け、弁、バルブを挟んで両ダクト内空間を遮断させ、複雑な制御を必要としていたのに対し、便器の排出口と吸引機構の間、便器の排出口と便器本体の間、便器本体と吸引機構の間に遮蔽する弁がなく開放されている。又、便器の排出口と汚水タンクの間、汚水タンクと吸引機構の間に遮断するバルブが無い。
従って、高価な弁やバルブが不要だし又、複雑な制御も必要ない。更には、従来の真空トイレでは必要な負圧の蓄圧タンクも必要ない。
又、吸引機構に吸引機能と排気扇機能とを備えると、１台の小型化が可能で大幅なコストダウンとなる。
発電機を各機器への電力源の他、汚物焼却時に発生する水蒸気、悪臭ガスを燃焼させ分解消失させるのでトイレ室を無臭にできる。
エンジン発電機を各機器への電力源、又、の他、汚物焼却時に発生する水蒸気、悪臭ガスを燃焼させ分解消失させる以外に、トイレの排気扇機能や吸引機能を有するので、排気扇や吸引機構に換えることができ、トイレのより小型化が可能である。
発電機を汚物の燃焼時に発生する悪臭ガスの消失に利用させることができる。
簡易トイレにおいて、吸引機構にて汚物タンク内に汚物を流下させるので、大量の汚物を貯溜させることができる。
汚物タンク内の汚物をバイオにて処理するので、汚物を衛生的に処理できる。
本発明のトイレは、便器だけトイレ室に設け、他は壁を隔てて見えない位置に設けることができるので、清潔なトイレの印象が強い。
便器も通常と同じ使用方法であり、特別な使用規則もなく安心して使用できる。
本発明のトイレの構成部品は、市販の部品を利用することができる構造になっているので高価な部品を必要とせず大幅な製品の原低が可能である。
構造がシンプルで経済的である。
【産業上の利用可能性】  以上のように、本発明にかかるトイレは、基本的構造とその好適実施例の詳細な説明から、工事車両用として、又、工事現場用の簡易トイレとして又、一般の家庭用にも有用である。
更に、家庭の室内で使用する介護用トイレの無臭トイレとして有用である。
【図１】
2004065704.tif 000003
【図２】
2004065704.tif 000004
【図３】
2004065704.tif 000005
【図４】
2004065704.tif 000006
【図５】
2004065704.tif 000007
【図６】
2004065704.tif 000008
【図７】
2004065704.tif 000009
【図８】
2004065704.tif 000010
【図９】
2004065704.tif 000011
【図１０】
2004065704.tif 000012
【図１１】
2004065704.tif 000013
【図１２】
2004065704.tif 000014
【図１３】
2004065704.tif 000015
【図１４】
2004065704.tif 000016
【図１５】
2004065704.tif 000017
【図１６】
2004065704.tif 000018
【図１７】
2004065704.tif 000019
【図１８】
2004065704.tif 000020
【図１９】
2004065704.tif 000021
【図２０】
2004065704.tif 000022
【図２１】
2004065704.tif 000023
【図２２】
2004065704.tif 000024
【図２３】
2004065704.tif 000025
【図２４】
2004065704.tif 000026
【図２５】
2004065704.tif 000027
【国際調査報告】
2004065704.tif 000028
2004065704.tif 000029